【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】  薬剤を乱用薬物の欲求と関連がある行動を減少、阻止又は排除するのに十分な量で霊長類に投与することにより乱用薬物に対する嗜癖に罹っている霊長類の嗜癖関連行動を変えるのに有効な薬剤を調製するためのγビニルGABA(GVG)の使用。
【請求項２】  乱用薬物の欲求と関連がある行動の前記排除がGVGに対する嫌悪応答又は欲望応答の存在しないときに現れる、請求項1記載の使用。
【請求項３】  前記乱用薬物がコカイン、モルヒネ及びニコチンからなる群より選ばれる、請求項1記載の使用。
【請求項４】  前記薬剤がGVGを約100mg/kg〜約300mg/kgの量で含有する、請求項1記載の使用。
【請求項５】  前記薬剤がGVGを約150mg/kg〜約300mg/kgの量で含有する、請求項1記載の使用。
【請求項６】  前記嗜癖関連行動が条件づけ場所嗜好性である、請求項1記載の使用。
【請求項７】  薬剤を霊長類において食品の報酬/報奨効果の変化のないときにコカイン、モルヒネ及びニコチンからなる群より選ばれる乱用薬物の報酬/報奨効果を弱めるのに十分な量で霊長類に投与することにより乱用薬物に対する嗜癖に罹っている霊長類の嗜癖関連行動を変えるのに有効な薬剤を調製するためのγビニルGABA(GVG)の使用。
【請求項８】  乱用薬物の報酬/報奨効果が、前記霊長類の歩行機能の変化のないときに弱められる、請求項７記載の使用。
【請求項９】  薬剤をニコチン依存性を低下させるのに十分な量で霊長類に投与することにより霊長類におけるニコチンの嗜癖作用を改善するのに有効な薬剤を調製するためのγビニルGABA(GVG)の使用。
【請求項１０】  前記薬剤がGVGを約75mg/kg〜約150mg/kgの量で含有する、請求項9記載の使用。
【請求項１１】  前記薬剤がGVGを約18mg/kg〜約20mg/kgの量で含有する、請求項9記載の使用。
【請求項１２】  前記ニコチン依存性がGVGに対する嫌悪応答又は欲望応答のないときに低下する、請求項9記載の使用。
【請求項１３】  前記ニコチン依存性が前記霊長類の歩行機能の変化のないときに低下する、請求項9記載の使用。
【請求項１４】  薬剤を乱用薬物の欲求と関連がある行動を減少、阻止又は排除するのに十分な量で哺乳動物に投与することにより乱用薬物に対する嗜癖に罹っている哺乳動物の嗜癖関連行動を変えるのに有効な薬剤を調製するためのγビニルGABA(GVG)の使用。
【請求項１５】  乱用薬物の欲求と関連がある行動の前記排除がGVGに対する嫌悪応答又は欲望応答の存在しないときに現れる、請求項14記載の使用。
【請求項１６】  前記乱用薬物が精神刺激剤、麻薬性鎮痛剤、アルコール又はニコチン及びその組合わせからなる群より選ばれる、請求項14記載の使用。
【請求項１７】  前記乱用薬物がコカイン、ニコチン、メタアンフェタミン、エタノール、モルヒネ、ヘロイン及びその組合わせからなる群より選ばれる、請求項14記載の使用。
【請求項１８】  GVGが約15mg/kg〜約600mg/kgの量で投与される、請求項14記載の使用。
【請求項１９】  前記嗜癖関連行動が条件づけ場所嗜好性である、請求項14記載の使用。
【請求項２０】  薬剤の有効量を哺乳動物に投与することにより乱用薬物に対する嗜癖に罹っている哺乳動物の嗜癖関連行動を変えるのに有効な薬剤を調製するためのγビニルGABA(GVG)又はその薬学的に許容しうる塩の使用であって、該有効量が前記哺乳動物において食品の報酬/報奨効果の変化のないときに精神刺激剤、麻薬性鎮痛剤、アルコール、ニコチン及びその組合わせからなる群より選ばれた乱用薬物の報酬/報奨効果を弱める量である、前記使用。
【請求項２１】  乱用薬物の報酬/報奨効果が前記哺乳動物の歩行機能の変化のないときに弱められる、請求項20記載の使用。
【請求項２２】  薬剤の有効量を哺乳動物に投与することにより哺乳動物における精神刺激剤、麻薬性鎮痛剤、アルコール又はニコチンの嗜癖作用を改善するのに有効な薬剤を調製するためのγビニルGABA(GVG)又はその薬学的に許容しうる塩の使用であって、該有効量が精神刺激剤、麻薬性鎮痛剤、アルコール又はニコチンの依存性を低下させるのに十分な量である、前記使用。
【請求項２３】  GVGが約15mg/kg〜約600mg/kgの量で投与される、請求項22記載の使用。
【請求項２４】  前記精神刺激剤、麻薬性鎮痛剤、アルコール又はニコチンの依存性がGVGに対する嫌悪応答又は欲望応答のないときに低下する、請求項22記載の使用。
【請求項２５】  前記精神刺激剤、麻薬性鎮痛剤、アルコール又はニコチンの依存性が前記哺乳動物の歩行機能の変化のないときに低下する、請求項22記載の使用。
【請求項２６】  薬剤の有効量を哺乳動物に投与することにより乱用薬物に対する嗜癖に罹っている哺乳動物の嗜癖関連行動を変えるのに有効な薬剤を調製
するためのγビニルGABA(GVG)又はその薬学的に許容しうる塩、又はそのエナンチオマー又はラセミ混合物の使用であって、該有効量が乱用薬物の欲求又は使用と関連がある行動を減少、阻止又は排除するのに十分な量である、前記使用。
【請求項２７】  乱用薬物の欲求と関連がある行動の前記排除がGVGに対する嫌悪応答又は欲望応答のないときに現れる、請求項26記載の使用。
【請求項２８】  前記乱用薬物が精神刺激剤、麻薬性鎮痛剤、アルコール又はニコチン及びその組合わせからなる群より選ばれる、請求項26記載の使用。
【請求項２９】  前記乱用薬物がコカイン、ニコチン、メタアンフェタミン、エタノール、モルヒネ、ヘロイン及びその組合わせからなる群より選ばれる、請求項26記載の使用。
【請求項３０】  GVGが約15mg/kg〜約600mg/kgの量で投与される、請求項26記載の使用。
【請求項３１】  前記嗜癖関連行動が条件づけ場所嗜好性である、請求項26記載の使用。
【請求項３２】  薬剤の有効量を哺乳動物に投与することにより乱用薬物に対する嗜癖に罹っている哺乳動物の嗜癖関連行動を変えるのに有効な薬剤を調製するためのγビニルGABA(GVG)又はその薬学的に許容しうる塩、又はそのエナンチオマー又はラセミ混合物の使用であって、該有効量が前記哺乳動物において食品の報酬/報奨効果の変化のないときに精神刺激剤、麻薬性鎮痛剤、アルコール、ニコチン及びその組合わせからなる群より選ばれた乱用薬物の報酬/報奨効果を弱める量である、前記使用。
【請求項３３】  乱用薬物の報酬/報奨効果が前記哺乳動物の歩行機能の変化のないときに弱められる、請求項32記載の使用。
【請求項３４】  薬剤の有効量を哺乳動物に投与することにより哺乳動物における精神刺激剤、麻薬性鎮痛剤、アルコール又はニコチンの嗜癖作用を改善するのに有効な薬剤を調製するためのγビニルGABA(GVG)又はその薬学的に許容しうる塩、又はそのエナンチオマー又はラセミ混合物の使用であって、該有効量が精神刺激剤、麻薬性鎮痛剤、アルコール又はニコチンの依存性を低下させるのに十分な量である、前記使用。
【請求項３５】  GVGが約15mg/kg〜約600mg/kgの量で投与される、請求項34記載の使用。
【請求項３６】  前記精神刺激剤、麻薬性鎮痛剤、アルコール又はニコチンの依存性がGVGに対する嫌悪応答又は欲望応答のないときに低下する、請求項34記載の使用。
【請求項３７】  前記精神刺激剤、麻薬性鎮痛剤、アルコール又はニコチンの依存性が前記哺乳動物の歩行機能の変化のないときに低下する、請求項34記載の使用。
【請求項３８】  薬剤の有効量を哺乳動物に投与することにより乱用薬物の組合わせに対する嗜癖に罹っている哺乳動物の嗜癖関連行動を変えるのに有効な薬剤を調製するためのγ-ビニルGABA(GVG)又はその薬学的に許容しうる塩の使用であって、該有効量が乱用薬物の該組合わせの欲求又は使用と関連がある行動を減少、阻止又は排除するのに十分な量である、前記使用。
【請求項３９】  乱用薬物の該組合わせの欲求と関連がある行動の前記排除がGVGに対する嫌悪応答又は欲望応答のないときに現れる、請求項38記載の使用。
【請求項４０】  乱用薬物の前記組合わせが精神刺激剤、麻薬性鎮痛剤、アルコール及びニコチンからなる群より選ばれる、請求項38記載の使用。
【請求項４１】  前記組合わせがコカイン、ニコチン、メタアンフェタミン、エタノール、モルヒネ及びヘロインからなる群より選ばれる、請求項38記載の使用。
【請求項４２】  前記組合わせがコカインとヘロインである、請求項38記載の使用。
【請求項４３】  GVGが約15mg/kg〜約600mg/kgの量で投与される、請求項38記載の使用。
【請求項４４】  前記嗜癖関連行動が条件つき場所嗜好性である、請求項38記載の使用。
【請求項４５】  薬剤の有効量を哺乳動物に投与することにより精神刺激剤、麻薬性鎮痛剤、アルコール及びニコチンからなる群より選ばれる乱用薬物の組合わせに対する嗜癖に罹っている哺乳動物の嗜癖関連行動を変えるのに有効な薬剤を調製するためのγ-ビニルGABA(GVG)又はその薬学的に許容しうる塩、又はそのエナンチオマー又はラセミ混合物の使用であって、該有効量が前記哺乳動物において食品の報酬/報奨効果の変化のないときに乱用薬物の該組合わせの報酬/報奨効果を弱める量である、前記使用。
【請求項４６】  前記組合わせがコカイン、ニコチン、メタアンフェタミン、エタノール、モルヒネ及びヘロインからなる群より選ばれる、請求項45記載の使用。
【請求項４７】  前記組合わせがコカインとヘロインである、請求項45記載の使用。
【請求項４８】  乱用薬物の該組合わせの報酬/報奨効果が前記哺乳動物の歩行機能の変化のないときに弱められる、請求項45記載の使用。
【請求項４９】  薬剤の有効量を哺乳動物に投与することにより哺乳動物において精神刺激剤、麻薬性鎮痛剤、アルコール及びニコチンからなる群より選ばれる乱用薬物の組合わせに対する嗜癖作用を改善するのに有効な薬剤を調製するためのγビニルGABA(GVG)又はその薬学的に許容しうる塩、又はそのエナンチオマー又はラセミ混合物の使用であって、該有効量が乱用薬物の該組合わせの依存性を低下させるのに十分な量である、前記使用。
【請求項５０】  前記組合わせがコカイン、ニコチン、メタアンフェタミン、エタノール、モルヒネ及びヘロインからなる群より選ばれる、請求項49記載の使用。
【請求項５１】  前記組合わせがコカインとヘロインである、請求項49記載の使用。
【請求項５２】  GVGが約15mg/kg〜約600mg/kgの量で投与される、請求項49記載の使用。
【請求項５３】  前記依存性がGVGに対する嫌悪応答又は欲望応答のないときに低下する、請求項49記載の使用。
【請求項５４】  前記依存性が前記哺乳動物の歩行機能の変化のないときに低下する、請求項49記載の使用。